(57)【要約】【課題】起動要因の入力端子数を削減可能な電子機器を提供する。【解決手段】電子機器１００は、第１起動信号発生部１０６と、第２起動信号発生部１０１と、第３起動信号発生部１０２と、第１および第２起動信号を入力する第１入力端子Ａと、第１および第３起動信号を入力する第２入力端子Ｂを備える第１制御部１０７と、第１制御部によって起動される第２制御部１０８とを備える。第１制御部１０７は、第１ないし第３起動信号のうちのいずれかが入力されたときに第２制御部１０８を起動する。第２制御部１０８は、起動完了後に、第１起動信号および第２起動信号の入力の有無を検出し、検出結果に応じた所定の動作を行う。第１起動信号の長さは、第１起動信号発生部が第１起動信号の出力を開始してから第２制御部が第１起動信号を検出できる状態になるまでに要する期間以上に設定される。【選択図】図１
2013175169.tif 000002
【特許請求の範囲】
【請求項１】
所定の条件が発生したときに第１起動信号を生成し、出力する第１起動信号発生部と、
所定の第１の状態に応じて第２起動信号を生成し、出力する第２起動信号発生部と、
所定の第２の状態に応じて第３起動信号を生成し、出力する第３起動信号発生部と、
前記第１および第２起動信号を入力する第１入力端子と、前記第１および第３起動信号を入力する第２入力端子を備える第１制御部と、
前記第１制御部によって起動され、前記第１ないし第３起動信号を入力し、入力した起動信号に応じた動作を実行する第２制御部と、を備え、
前記第１制御部は、前記第１ないし第３起動信号のうちのいずれかが入力されたときに前記第２制御部を起動し、
前記第２制御部は、起動完了後に、前記第１起動信号および前記第２起動信号の入力の有無を検出し、検出結果に応じた所定の動作を行い、
前記第１起動信号の長さは、前記第１起動信号発生部が前記第１起動信号の出力を開始してから前記第２制御部が前記第１起動信号を検出できる状態になるまでに要する期間以上に設定された、
電子機器。
【請求項２】
前記第１起動信号は、前記電子機器の電源スイッチがオンされていることを示す信号であり、
前記第２起動信号は、所定のイベントの発生を示す割り込み信号であり、
前記第３起動信号は、前記電子機器の休止状態の解除を示す信号である、
請求項１記載の電子機器。
【請求項３】
前記第２起動信号発生部は、２つの状態をとり得るスイッチを含み、前記スイッチの状態に応じて前記第２起動信号を出力する、請求項１または２記載の電子機器。
【請求項４】
光学系を備え、前記光学系を介して入力した被写体を撮像して画像データを生成する撮像装置であって、
所定の条件が発生したときに第１起動信号を生成し、出力する第１起動信号発生部と、
所定の第１の状態に応じて第２起動信号を生成し、出力する第２起動信号発生部と、
所定の第２の状態に応じて第３起動信号を生成し、出力する第３起動信号発生部と、
前記第１および第２起動信号を入力する第１入力端子と、前記第１および第３起動信号を入力する第２入力端子を備える第１制御部と、
前記第１制御部によって起動され、前記第１ないし第３起動信号を入力し、入力した起動信号に応じた動作を実行する第２制御部と、を備え、
前記第１制御部は、前記第１ないし第３起動信号のうちのいずれかが入力されたときに前記第２制御部を起動し、
前記第２制御部は、起動完了後に、前記第１起動信号および前記第２起動信号の入力の有無を検出し、検出結果に応じた所定の動作を行い、
前記第１起動信号の長さは、前記第１起動信号発生部が前記第１起動信号の出力を開始してから前記第２制御部が前記第１起動信号を検出できる状態になるまでに要する期間以上に設定された、
撮像装置。
【請求項５】
前記第１起動信号は、前記撮像装置の電源スイッチがオンされていることを示す信号であり、
前記第２起動信号は、所定のイベントの発生を示す割り込み信号であり、
前記第３起動信号は、前記撮像装置の休止状態の解除を示す信号である、
請求項４記載の撮像装置。
【請求項６】
前記第２起動信号発生部は、２つの状態をとり得るスイッチを含み、前記スイッチの状態に応じて前記第２起動信号を出力する、請求項４または５記載の撮像装置。
【発明の詳細な説明】
【技術分野】
【０００１】
本開示は、主起動要因および副起動要因による起動動作を行う電子機器に関する。
【背景技術】
【０００２】
デジタルカメラなどの電子機器において、電源スイッチ等による起動（主起動要因）による起動モードに加えて、それ以外の起動要因（副起動要因）による起動モードを有するものがある。そのような電子機器が電源オフまたは休止時に、副起動要因からの割り込み入力で起動された場合、特定動作終了後に次の動作に至るまで再びオフまたは休止状態が保持される。ここで主起動要因とは、ユーザが電子機器を起動（休止状態から復帰）させるための操作等により起動信号を発生する起動要因であり、ユーザの意図によって起動する際の起動信号を発生する起動要因である。また、副起動要因とは、ユーザの意図とは関係なく起動する際の起動信号を発生する起動要因である。例えば、副起動要因は、ＧＰＳの間欠受信や、Ｗｉ−Ｆｉ通信などの定期的なアクセスポイント探索や、ＵＳＢ充電を行うときの接続先判別などである。
【０００３】
従来、複数の起動要因により電子機器の起動を行う構成が知られている（例えば、特許文献１参照。）。このような電子機器において、どの起動要因で起動したのかを判別し、要因別にその後の動作を行う必要がある場合がある。そのため、起動信号を発生させた起動要因の種類を識別するために複数の入力端子を備え、複数の起動要因の各々からの信号を各入力端子と一対一に接続する構成が知られている。
【先行技術文献】
【特許文献】
【０００４】
【特許文献１】特開平１−２５５９０９号公報
【発明の概要】
【発明が解決しようとする課題】
【０００５】
複数の起動要因の各々からの信号を各入力端子と一対一に接続する場合、起動要因の数が増加にともない入力端子の数も増加し、構成が複雑になるという問題がある。
【０００６】
本開示は、簡単な構成（少ない入力端子数）で起動要因の種類を識別可能な電子機器を提供する。
【課題を解決するための手段】
【０００７】
本開示にかかる電子機器は、所定の条件が発生したときに第１起動信号を生成し、出力する第１起動信号発生部と、所定の第１の状態に応じて第２起動信号を生成し、出力する第２起動信号発生部と、所定の第２の状態に応じて第３起動信号を生成し、出力する第３起動信号発生部と、第１および第２起動信号を入力する第１入力端子と第１および第３起動信号を入力する第２入力端子を備える第１制御部と、第１制御部によって起動され、第１ないし第３起動信号を入力し、入力した起動信号に応じた動作を実行する第２制御部とを備える。第１制御部は、第１ないし第３起動信号のうちのいずれかが入力されたときに第２制御部を起動する。第２制御部は、起動完了後に、第１起動信号および第２起動信号の入力の有無を検出し、検出結果に応じた所定の動作を行う。第１起動信号の長さは、第１起動信号発生部が第１起動信号の出力を開始してから第２制御部が前記第１起動信号を検出できる状態になるまでに要する期間以上に設定される。
【発明の効果】
【０００８】
本開示の電子機器によれば、簡単な構成（より少ない入力端子数）で、起動要因の種類を判別することができる。
【図面の簡単な説明】
【０００９】
【図１】実施の形態１における電子機器の構成を示すブロック図
【図２】割り込み信号の長さを説明するための図
【図３】実施の形態１における電子機器の動作を示すフローチャート
【図４】他の実施の形態における、複数の割り込み入力部を有する電子機器の構成を示すブロック図
【図５】実施の形態１に示した電子機器の構成を適用した撮像装置の構成を示すブロック図
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者（ら）は、当業者が本開示を十分に理解するために添付図面および以下の説明を提供するのであって、これらによって特許請求の範囲に記載の主題を限定することを意図するものではない。
【００１１】
〔本開示が解決しようとする課題〕
前述の電子機器において、起動要因を識別するための構成を簡略化するために、複数の起動要因からの起動信号を共通の入力端子に入力する構成が考えられる。しかしながら、そのような場合、複数の起動要因の中に起動信号の状態を保持するものを含めることができないという問題があった。以下これを詳述する。
【００１２】
主起動要因としての電源スイッチが、スライドスイッチのように機械的に状態を保持するタイプのものであって、かつ電源スイッチがオンの状態で一定時間が経過した場合に一時休止状態をとる電子機器が存在する。そのような電子機器において、起動要因の識別を行うための処理部が、電源スイッチからの信号の入力と副起動要因からの割り込み信号の入力とを共通の入力端子に入力している場合、副起動要因の信号が受付できなくなり、そのままでは副起動要因による起動が不可能となる。
【００１３】
例えば、電源スイッチがオンの状態では起動要因識別部の入力端子に入力される信号が「Ｌｏｗ」となるものとする。この入力端子にはさらに、割り込み発生時（副起動要因発生時）にＬｏｗとなる割り込み信号が入力されるものとする。すると、電源スイッチがオンの場合には、入力端子に入力される信号が、割り込み発生（副起動要因）の有無によらず常にＬｏｗとなってしまう。電源スイッチがオンでありかつ電子機器が起動している状態であれば電子機器の制御部（マイコン等）が割り込みを検出して動作することが可能であるため問題ない。しかし、この状態で電子機器が休止状態に入ると、制御部が動作していないため、割り込み信号（副起動要因）を検出できなくなってしまう。
【００１４】
そこで、以下の説明では、起動信号の状態を保持する起動要因を扱う場合であっても、起動信号の入力端子の数を低減できる電子機器の構成を説明する。
【００１５】
〔実施の形態１〕
実施の形態１の電子機器は、第１制御部に、３種類の起動要因に起因する起動信号が入力される２つの入力端子を有している。また、各起動要因を識別するためにそれぞれの起動信号が情報処理部に対して接続されており、情報処理部は起動要因に応じた処理を実行することが可能である。以下、実施の形態１の電子機器の構成および動作を具体的に説明する。
【００１６】
〔１．電子機器の構成〕
以下、図面を用いて実施の形態１の電子機器の構成を説明する。
【００１７】
図１は、電子機器の構成を示すブロック図である。電子機器１００は、電源スイッチ１０１と、休止状態解除操作部１０２と、電源入力部１０３と、主電源部１０４と、副電源部１０５と、割り込み入力部１０６と、第１制御部１０７と、情報処理部１０８とを備える。
【００１８】
電源スイッチ１０１は、電子機器１００の主起動要因である。電源スイッチ１０１は、電子機器１００の主要な動作のオンとオフを切り替える。電源スイッチ１０１は、スライド式のスイッチにより構成され、このスイッチがオン時はＬｏｗ、オフ時はＨｉｇｈの信号を出力する。このオン時に出力されるＬｏｗの信号（起動信号）は、「電源スイッチ信号」である。電源スイッチ１０１は、第１制御部１０７の入力端子Ａに接続されている。また、電源スイッチ１０１は情報処理部１０８に接続されている。
【００１９】
休止状態解除操作部１０２は、電子機器１００の主起動要因である。休止状態解除操作部１０２は、電子機器１００が休止状態にあるときに電子機器１００のユーザが操作をすることで休止状態から復帰するための操作手段である。休止状態解除操作部１０２は、通常はＨｉｇｈの信号を出力し、ユーザが操作をしたときにＬｏｗの信号を出力する。このときのＬｏｗの信号（起動信号）は、「休止状態解除信号」である。休止状態解除信号は、図２に示すように所定期間（Ti）だけＬｏｗが維持される矩形パルス信号である。所定期間（Ti）は、休止状態解除信号が出力されてから（すなわち、第１制御部１０７に入力されてから）、情報処理部１０８の起動が完了して情報処理部１０８が休止状態解除信号を確認可能となるまでに要する時間以上の長さに設定される。その所定期間（Ti）は、前述の条件を満たす範囲内の最小時間に設定されることが望ましい。休止状態解除操作部１０２は、例えば、電子機器１００に設けられた釦でもよく、タッチパネルなどのその他の操作手段でもよい。休止状態解除操作部１０２は、第１制御部１０７の入力端子Ｂに接続される。また、休止状態解除操作部１０２は情報処理部１０８に接続されている。
【００２０】
電源入力部１０３は、外部の電力源（図示せず）に接続され、主電源部１０４および副電源部１０５に電力供給を行う。電源入力部１０３に接続される電力源は、内蔵電池でもよく、ＡＣ電源等の外部電力源でもよい。
【００２１】
主電源部１０４は、電源入力部１０３に接続された電力源から供給された電力を、情報処理部１０８が必要な電圧に変換して、情報処理部１０８に供給する。主電源部１０４は、第１制御部１０７からの信号を受けて起動し、情報処理部１０８への電力供給を行う。
【００２２】
副電源部１０５は、電源入力部１０３に接続された電力源から供給された電力を、電源スイッチ１０１と、休止状態解除操作部１０２と、割り込み入力部１０６と、第１制御部１０７と、が必要な電圧に変換して供給する。
【００２３】
割り込み入力部１０６は副起動要因である。割り込み入力部１０６は、所定のイベントの発生時に、割り込み信号（起動信号）を生成し、第１制御部１０７に送る。割り込み入力部１０６は例えば充電制御ＩＣである。充電制御ＩＣは、電子機器１００にＵＳＢケーブルが挿入された時に、電源入力部１０３に接続されている内蔵電池を充電するための設定を行うために情報処理部１０８を利用する。
【００２４】
割り込み入力部１０６は、第１制御部１０７の入力端子Ａと入力端子Ｂにそれぞれ接続されている。すなわち、割り込み入力部１０６と第１制御部１０７の２つの接続点のうちの一方は、電源スイッチ１０１が第１制御部１０７と接続している接続点（入力端子Ａ）である。また、その他方は、休止状態解除操作部１０２が第１制御部１０７と接続している接続点（入力端子Ｂ）である。また、割り込み入力部１０６は、情報処理部１０８に接続されている。
【００２５】
割り込み入力部１０６は、割り込みの発生がないときはＨｉｇｈの信号を出力し、割り込み発生時には図２に示すように所定期間（Ti）だけＬｏｗとなる矩形パルスの割り込み信号を出力する。所定期間（Ti）は、割り込み信号が出力されてから（すなわち、第１制御部１０７に入力されてから）、情報処理部１０８の起動が完了して情報処理部１０８が割り込み信号を確認可能となるまでに要する時間以上の長さに設定される。その所定期間（Ti）は、前述の条件を満たす範囲内の最小時間に設定されることが望ましい。
【００２６】
第１制御部１０７は、副電源部１０５から電力が供給されて動作する。第１制御部１０７は上述の通り、３つの起動信号を入力端子Ａおよび入力端子Ｂで受け付ける。すなわち、第１制御部１０７は、電源スイッチ１０１からの電源スイッチ信号と、休止状態解除操作部１０２からの休止状態解除信号と、割り込み入力部１０６からの割り込み信号と、を入力端子Ａおよび入力端子Ｂで受け付ける。より具体的には、第１制御部１０７は、入力端子Ａにより、割り込み信号と電源スイッチ信号とを受け付け、入力端子Ｂにより、割り込み信号と休止状態解除信号とを受け付ける。なお、入力端子Ａに接続する電源スイッチ信号と割り込み信号は互いに干渉しないようにダイオードによって電気的に分離されている（図１参照）。また、入力端子Ｂに接続する割り込み信号と休止状態解除信号も互いに干渉しないようにダイオードによって電気的に分離されている。
【００２７】
第１制御部１０７は、電源スイッチ１０１、休止状態解除操作部１０２および割り込み入力部１０６から送られる起動信号のエッジ（ＨｉｇｈからＬｏｗに変化するときのエッジ）を検出して、主電源部１０４に対して、起動を指示するための制御信号を送る。
【００２８】
なお、第１制御部１０７の入力端子Ｂは、入力端子ＡがＬｏｗ（電源スイッチ１０１がオフ）でないと休止状態解除信号を受け付けないようになっている。電子機器１００は、電源スイッチ１０１がオンであるときにのみ、動作状態から休止状態への移行、またその逆に移行することができる。このため、本実施形態では、電源スイッチ１０１からＬｏｗ（電源スイッチ信号）が入力端子Ａに入力されているときにのみ、休止状態を解除するための休止状態解除信号を入力端子Ｂにて受け付けるようにしている。
【００２９】
情報処理部１０８は、ＣＰＵおよび内部メモリなどを含み、電子機器１００の主要な機能を実現するための各種処理を行う。情報処理部１０８は、主電源部１０４からの電源供給により動作する。情報処理部１０８は、起動直後に、電源スイッチ１０１、休止状態解除操作部１０２および割り込み入力部１０６それぞれからの起動信号の有無を確認し、起動要因を判別する。そして、情報処理部１０８は、判別した起動要因に基づいて所定の動作を実行する。さらに、情報処理部１０８は、内部メモリにフラグを立てて、電子機器１００が休止状態であるか否かを記憶している。
【００３０】
〔２．動作〕
図３は、第１制御部１０７に対して、電源スイッチ１０１、休止状態解除操作部１０２および割り込み入力部１０６のいずれかからの起動信号が入力された場合に実行される、電子機器１００の動作を示すフローチャートである。
【００３１】
第１制御部１０７に起動信号が入力される前は、電子機器１００は電源オフ状態、または休止状態となっているものとする。電源オフ状態は、電源スイッチ１０１がオフ（Ｈｉｇｈ）であり、主電源部１０４が電源をどこにも供給していない状態である。休止状態は、電源オンの状態から所定時間が経過した等により発生する状態であり、電源スイッチ１０１がオン（Ｌｏｗ）であり、主電源部１０４が電源をどこにも供給していない状態である。電源オフ状態および休止状態のいずれの状態においても、副電源部１０５は、上述した各部への電源を供給し、第１制御部１０７は起動信号が入力されるのを待っている。
【００３２】
図３を参照し、電源オフ状態および休止状態のいずれかの状態において、第１制御部１０７に対して、電源スイッチ１０１、休止状態解除操作部１０２および割り込み入力部１０６のいずれかから起動信号が入力されると、第１制御部１０７は、主電源部１０４に対して、情報処理部１０８を起動させるための信号を出力する（ステップＳ２０１）。第１制御部１０７からの信号を受けると、主電源部１０４は起動する（ステップＳ２０２）。そして、主電源部１０４は、情報処理部１０８に対して、情報処理部１０８が起動するために必要な電力を供給する。主電源部１０４からの電力供給を受けた情報処理部１０８は、内部の初期化動作等を実行し、一定時間以内に起動を完了する（ステップＳ２０３）。
【００３３】
起動を完了した情報処理部１０８は、まず電源スイッチ１０１から信号を確認する（ステップＳ２０４）。電源スイッチ１０１からの信号がＨｉｇｈ（電源スイッチ１０１がオフ）である場合、つまり電源スイッチ１０１から電源スイッチ信号が出力されず、電子機器１００が電源オフ状態であった場合（ステップＳ２０４において「Ｙｅｓ」）、情報処理部１０８は、割り込み入力部１０６からの信号を確認する（ステップＳ２０５）。
【００３４】
割り込み入力部１０６からの信号がＬｏｗ、つまり割り込み入力部１０６から割り込み信号が出力されている場合には（ステップＳ２０５において「Ｙｅｓ」）、情報処理部１０８は、割り込み入力部１０６が起動要因であると判断し、割り込み入力に応じた必要な処理を行う（ステップＳ２０６）。例えば、割り込みがＵＳＢケーブル挿入時に発生した割り込みであれば、情報処理部１０８は、ＵＳＢケーブルを介して電源入力部１０３に接続される外部電力源からの電力を使用して、電源入力部１０３に接続される電池を充電するための制御（各部の設定等）を行う。
【００３５】
前記の必要な処理が終了した後、情報処理部１０８は終了処理を行い（ステップＳ２０７）、再び元の状態に戻る。ここで、前述のようにステップＳ２０４において「Ｙｅｓ」（電源スイッチ１０１がオフ）の判断の後の終了処理であれば、元の状態は、「電源オフ状態」となる。また、後述のようにステップＳ２０４において「Ｎｏ」（電源スイッチ１０１がオン）の判断の後の終了処理（ステップＳ２０７）であれば、元の状態は「休止状態」となる。
【００３６】
ステップＳ２０５において、割り込み入力部１０６からの信号がＬｏｗでない、つまり割り込み入力部１０６からの信号が割り込み信号でない場合には（ステップＳ２０５において「Ｎｏ」）、情報処理部１０８は、割り込み入力部１０６が起動要因でないという判断を行う。つまり、電源スイッチ１０１が一旦オンに操作されて起動信号が出力された後に、ステップＳ２０４において電源スイッチ１０１からの電源スイッチ信号を確認するまでの間に、電源スイッチ１０１をオフにする操作が行われ、電源スイッチ信号がなくなったという判断を行う。そのため、情報処理部１０８は、電源スイッチ１０１が起動要因であると判断し、通常の起動処理を行い（ステップＳ２０８）、その後、終了処理を行い（ステップＳ２０９）、再び元の状態（休止状態）に戻る。
【００３７】
ステップＳ２０４において、電源スイッチ１０１からの起動信号がＨｉｇｈでない場合、つまり電源スイッチ１０１がオン状態にあり電源スイッチ信号を確認できる場合には、情報処理部１０８は自身の内部メモリのフラグを確認し、休止状態にあったか否かを確認する（ステップＳ２１０）。休止状態であった場合（ステップＳ２１０において「Ｙｅｓ」）、情報処理部１０８は、割り込み入力部１０６からの割り込み信号を確認する（ステップＳ２１１）。
【００３８】
ステップＳ２１１において、割り込み入力部１０６からの起動信号がＬｏｗ、つまり割り込み入力部１０６から割り込み信号を受信している場合（ステップＳ２１１において「Ｙｅｓ」）、情報処理部１０８は、割り込み入力部１０６が起動要因であると判断し、ステップＳ２０６に移行する。
【００３９】
ステップＳ２１０において、休止状態でなかった場合（ステップＳ２１０において「Ｎｏ」）、情報処理部１０８は、電源スイッチ１０１が起動要因であると判断し、通常起動処理（ステップＳ２１２）を行う。
【００４０】
ステップＳ２１１において、割り込み入力部１０６からの起動信号がＬｏｗでない、つまり割り込み入力部１０６から割り込み信号を受信していない場合には（ステップＳ２１１において「Ｎｏ」）、情報処理部１０８は、休止状態解除操作部１０２が起動要因であると判断し、休止状態を解除するための処理を行う（ステップＳ２１３）。
【００４１】
上記のように、本実施の形態の電子機器１００は、電源スイッチ信号、休止状態解除信号、および割り込み信号の３つの起動信号が第１制御部１０７の２つの入力端子Ａ、Ｂに入力され得る。そして、いずれかの起動信号が入力されると、第１制御部１０７は情報処理部１０８を起動させる。情報処理部１０８は起動が完了した後に、起動要因の種類を判断する。特に、起動要因のうちの１つである割り込み入力部１０６からの割り込み信号は、割り込み信号が第１制御部１０７に入力されてから、情報処理部１０８がその起動要因を確認できるまでに要する時間以上の間、継続して出力される（すなわち、Ｌｏｗを維持する）。これにより、情報処理部１０８は起動要因を確認できるため、電子機器１００は、起動要因の入力端子を、起動要因の数（本例では３）と同じ数だけ持つ必要がなく、入力端子の数を削減することが可能となる。
【００４２】
〔３．効果等〕
以上のように本実施形態の電子機器１００は、所定のイベントが発生したときに割り込み信号（第１起動信号）を生成し、出力する割り込み入力部１０６と、電源スイッチ１０１の状態に応じて電源スイッチ信号（第２起動信号）を生成し、出力する電源スイッチ１０１と、休止状態の解除に応じて休止状態解除信号（第３起動信号）を生成し、出力する休止状態解除操作部１０２と、割り込み信号および電源スイッチ信号を入力する入力端子Ａと、割り込み信号および休止状態解除信号を入力する第２入力端子Ｂを備える第１制御部１０７と、第１制御部１０７によって起動され、割り込み信号、電源スイッチ信号および休止状態解除信号を入力し、入力した起動信号に応じた動作を実行する情報処理部１０８（第２制御部）とを備える。第１制御部１０７は、割り込み信号、電源スイッチ信号および休止状態解除信号のうちのいずれかが入力されたときに情報処理部１０８を起動する。情報処理部１０８は、起動完了後に、割り込み信号および電源スイッチ信号の入力の有無を検出し、検出結果に応じた所定の動作を行う。割り込み信号の長さTiは、割り込み入力部が割り込み信号の出力を開始してから情報処理部１０８が割り込み信号を検出できる状態になるまでに要する期間以上に設定される。
【００４３】
第１制御部１０７において、割り込み信号と電源スイッチ信号を同じ入力端子Ａで受け、割り込み信号と休止状態解除信号を同じ入力端子Ｂで受けることから、起動信号の数に対して、起動信号の入力端子数を低減することができる。
【００４４】
また、割り込み信号の長さTiを上記のように設定することで、情報処理部１０８が、その起動後に確実に割り込み信号を検出することができる状態になる。
【００４５】
〔他の実施の形態〕
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。そこで、以下、他の実施の形態を例示する。
【００４６】
上記実施の形態において、起動要因として、電源スイッチ信号、休止状態解除信号、および割り込み信号の３つの起動要因を例に挙げて説明した。しかしながら、起動要因の種類はこれに限られない。また、起動要因の数も起動要因の入力端子数より多ければ本開示の思想を適用可能である。
【００４７】
割り込み入力部１０６の例として、充電制御ＩＣの他に、ＧＰＳモジュール、ＷｉＦｉモジュール、ＮＦＣ（Near Field Communication）モジュールなどが考えられる。また、電子機器１００において、割り込み入力部が複数設けられてもよい。この場合、図４に示すような構成とすることで、起動信号の入力端子数の増加を防止できる。
【００４８】
上記実施の形態において、電源スイッチ１０１は、スライド式のスイッチにより構成されるものとしたが、機械的にオン・オフ状態を保持可能なものであればどのような構成でもよい。例えば、押下するたびに導通状態が変化することにより出力が交互にＨｉｇｈ、Ｌｏｗと切り替わるプッシュスイッチであってもよいし、レバースイッチまたは回転スイッチであってもよい。
【００４９】
上記実施の形態において説明した起動要因に関する制御の思想は、種々の電子機器に適用できる。例えば、デジタルカメラ、ムービーカメラ、スマートフォンのような画像を撮像する機能を有する撮像装置に適用できる。図５は、図１に示す電子機器の構成を適用した撮像装置の構成を示す図である。撮像装置５００は、光学系を介して入射した被写体像を撮像センサにより撮像して画像信号を生成し、画像信号を画像処理プロセッサで処理し、メモリカード等の記録媒体に記録する。撮像装置５００は、撮像装置５００の全体動作を制御するコントローラ５０１と、コントローラ５０１により制御される負荷５１１とを含む。負荷５１１は、撮像センサ、撮像センサで生成された画像信号を処理するための画像処理プロセッサ、および光学系を駆動するためのアクチュエータ等の回路や部材を含む。図１に示す情報処理部１０８が図５に示すコントローラ５０１に対応する。
【００５０】
以上のように、本開示における技術の例示として、実施の形態を説明した。そのために、添付図面および詳細な説明を提供した。
【００５１】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５２】
また、上述の実施の形態は、本開示における技術を例示するためのものであるから、特許請求の範囲またはその均等の範囲において種々の変更、置き換え、付加、省略などを行うことができる。
【産業上の利用可能性】
【００５３】
本開示の電子機器は、起動要因の入力端子数を削減可能な電子機器を提供することができるため、デジタルスチルカメラ、ムービーカメラ、携帯電話等に対して適用可能である。
【符号の説明】
【００５４】
１００  電子機器
１０１  電源スイッチ
１０２  休止状態解除操作部
１０３  電源入力部
１０４  主電源部
１０５  副電源部
１０６  割り込み入力部
１０７  第１制御部
１０８  情報処理部（第２制御部）
【図１】
2013175169.tif 000003
【図２】
2013175169.tif 000004
【図３】
2013175169.tif 000005
【図４】
2013175169.tif 000006
【図５】
2013175169.tif 000007